(57)【要約】【課題】防水を維持しながら、押し感を良好にすることができる携帯電子機器を提供する。【解決手段】携帯電子機器１は、方向／決定ボタン７１と、操作ボタン７２及び機能ボタン７３と、シート状に成形され、防水機能を有するベースシート７４と、ベースシート７４より硬い素材で成形される補強材７５と、を備える。方向／決定ボタン７１は、操作ボタン７２及び機能ボタン７３より大きい。方向／決定ボタン７１は、補強材７５を介さずにベースシート７４上に直接配置される。一方、操作ボタン７２及び機能ボタン７３は、補強材７５を介してベースシート７４上に配置される。【選択図】図５
2014086358.tif 000002
【特許請求の範囲】
【請求項１】
第１ボタンと、
第２ボタンと、
シート状に成形され、防水機能を有するベースシートと、
前記ベースシートより硬い素材で成形される補強材と、
を備え、
前記第１ボタンは前記第２ボタンより大きく、
前記第１ボタンは、前記補強材を介さずに前記ベースシート上に直接配置され、
前記第２ボタンは、前記補強材を介して前記ベースシート上に配置される
ことを特徴とする携帯電子機器。
【請求項２】
前記ベースシート及び前記補強材は一体成形されることを特徴とする、請求項１に記載の携帯電子機器。
【請求項３】
前記補強材は、シート状に成形されることを特徴とする請求項１または２に記載の携帯電子機器。
【請求項４】
前記補強材には、少なくとも一部の前記第２ボタンが配置される周囲にスリットが設けられることを特徴とする、請求項３に記載の携帯電子機器。
【請求項５】
前記スリットは、筐体縁部に隣接して配置される前記第２ボタンの周囲に設けられることを特徴とする、請求項４に記載の携帯電子機器。
【請求項６】
前記補強材は、前記第２ボタンのそれぞれと前記ベースシートとの間に個別に配置されることを特徴とする、請求項１または２に記載の携帯電子機器。
【発明の詳細な説明】
【技術分野】
【０００１】
本発明は、携帯電子機器に関する。
【背景技術】
【０００２】
携帯電子機器の防水構造として、部材間を水密に封止するシート部材を配置する構成が知られている（例えば特許文献１）。このような構成の一例として、携帯電子機器のボタンを固設するベースシートに、防水のためにＰＥＴを用いるものがある。
【先行技術文献】
【特許文献】
【０００３】
【特許文献１】特開２０１２−７４５２６号公報
【発明の概要】
【発明が解決しようとする課題】
【０００４】
しかしながら、ベースシートにＰＥＴを適用した場合、ＰＥＴが硬い素材であるため、ボタンを押したときに撓みにくくなり、ボタンの押し感が悪化する虞がある。一方、ベースシートの素材を柔らかくすると、ベースシートが撓み、ボタンが沈み込んで傾く虞がある。
【０００５】
本発明は、上記に鑑みてなされたものであって、防水を維持しながら、押し感を良好にすることができる携帯電子機器を提供することを目的とする。
【課題を解決するための手段】
【０００６】
上記課題を解決するために、本発明に係る携帯電子機器は、第１ボタンと、第２ボタンと、シート状に成形され、防水機能を有するベースシートと、前記ベースシートより硬い素材で成形される補強材と、を備え、前記第１ボタンは前記第２ボタンより大きく、前記第１ボタンは、前記補強材を介さずに前記ベースシート上に直接配置され、前記第２ボタンは、前記補強材を介して前記ベースシート上に配置されることを特徴とする。
【０００７】
また、上記の携帯電子機器において、前記ベースシート及び前記補強材は一体成形されることが好ましい。
【０００８】
また、上記の携帯電子機器において、前記補強材は、シート状に成形されることが好ましい。
【０００９】
また、上記の携帯電子機器において、前記補強材には、少なくとも一部の前記第２ボタンが配置される周囲にスリットが設けられることが好ましい。
【００１０】
また、上記の携帯電子機器において、前記スリットは、筐体縁部に隣接して配置される前記第２ボタンの周囲に設けられることが好ましい。
【００１１】
また、上記の携帯電子機器において、前記補強材は、前記第２ボタンのそれぞれと前記ベースシートとの間に個別に配置されることが好ましい。
【発明の効果】
【００１２】
本発明に係る携帯電子機器は、防水を維持しながら、押し感を良好にすることができるという効果を奏する。
【図面の簡単な説明】
【００１３】
【図１】図１は、本発明の第一実施形態に係る携帯電子機器の斜視図である。
【図２】図２は、本発明の第一実施形態に係る携帯電子機器の正面側の分解斜視図である。
【図３】図３は、本発明の第一実施形態に係る携帯電子機器の背面側の分解斜視図である。
【図４】図４は、図２，３中のフロントケース、基板及びリアケースを組んだ状態の筐体部分の斜視図である。
【図５】図５は、図２，３中のキーシートの正面図である。
【図６】図６は、図５に示すキーシートのＶＩ−ＶＩ断面図である。
【図７】図７は、本発明の第二実施形態におけるキーシートの正面図である。
【図８】図８は、図７に示すキーシートのＶＩＩＩ−ＶＩＩＩ断面図である。
【発明を実施するための形態】
【００１４】
以下に、本発明に係る携帯電子機器の実施形態を図面に基づいて説明する。なお、以下の図面において、同一または相当する部分には同一の参照番号を付し、その説明は繰り返さない。
【００１５】
［第一実施形態］
図１〜５を参照して第一実施形態を説明する。
【００１６】
まず、図１〜４を参照して、本実施形態に係る携帯電子機器の全体構成について説明する。図１は、本実施形態に係る携帯電子機器の斜視図であり、図２は、本実施形態に係る電子機器の一例としての携帯電子機器の正面側の分解斜視図であり、図３は、本実施形態に係る電子機器の一例としての携帯電子機器の背面側の分解斜視図であり、図４は、図２，３中のフロントケース、基板及びリアケースを組んだ状態の筐体部分の斜視図である。以下の説明では、図２，３の上方向を携帯電子機器１の上側、下方向を携帯電子機器１の下側、右方向を携帯電子機器１の正面側、左方向を携帯電子機器１の背面側とする。
【００１７】
携帯電子機器１は防水機能を有する。図１に示すように、本実施形態では、本発明に係る防水機能を有する電子機器の一例として、ＰＨＳ（Ｐｅｒｓｏｎａｌ  Ｈａｎｄｙ−ｐｈｏｎｅ  Ｓｙｓｔｅｍ）を取り上げて説明する。
【００１８】
図１〜３に示すように、携帯電子機器１は、正面側のフロントケース５と、背面側のリアケース６をと嵌合させることで、上下方向を長径とする略直方体形状の筐体構造をとる。フロントケース５及びリアケース６は、たとえば樹脂により成形される。この筐体構造の内部には、基板２、表示部３、及びキー基板４が搭載されている。フロントケース５は、上下方向の略中間位置にてフロントケース上部５１とフロントケース下部５２に区分され、リアケース６は、上下方向の略中間位置にてリアケース上部６１とリアケース下部６２に区分される。
【００１９】
基板２は、略平板形状をした、たとえば制御部などの各種半導体チップを表面に有する部品である。基板２は、図１に示すように正面側の上部に表示部３が設置され、正面側の下部にキー基板４が設置される。
【００２０】
表示部３は、待ち受け画像、メニュー画像等の種々の情報を表示するものである。表示部３は、例えば液晶ディスプレイ（Ｌｉｑｕｉｄ  Ｃｒｙｓｔａｌ  Ｄｉｓｐｌａｙ：ＬＣＤ）や有機ＥＬ（Ｏｒｇａｎｉｃ  Ｅｌｅｃｔｒｏ−Ｌｕｍｉｎｅｓｃｅｎｃｅ）パネル等を有する表示パネルである。表示部３は、フロントケース上部５１を介して外部に情報を表示する。
【００２１】
キー基板４は、後述するキーシート７上に配置される各種ボタン７１，７２，７３を介した操作入力を検出する基板である。キー基板４の正面側の表面には、ボタン７１，７２，７３に個別に対応付けられた複数の検出素子４１が配置されている。検出素子４１のそれぞれは、正面側方向へ凸形状をとる。複数の検出素子４１は、キーシート７のボタン７１，７２，７３と同一の配列でキーシート上に固設されている。キー基板４は、図４に示すように、筐体構造内に組み込まれた際に、検出素子４１の全てをフロントケース下部５２に設けられた開口部５３から正面側に露出するよう配置されている。
【００２２】
フロントケース下部５２の外側には、キーシート７が配置される。キーシート７は、正面側の表面上に、ユーザが各種操作入力を行なうためのボタン７１，７２，７３を備える。キーシート７の背面側の表面上には、ボタン７１，７２，７３ごとに個別に突起部７６が設けられている。複数の突起部７６は、例えばＵＶ硬化樹脂により成形され、背面側に向かって凸形状をとる。
【００２３】
突起部７６のそれぞれは、正面側のボタン７１，７２，７３のうち対応付けられた１つのボタンの中心位置に配置される。つまり、複数の突起部７６は、ボタン７１，７２，７３と同一の配列でキーシート７の背面側に固設されている。したがって、キーシート７がキー基板４上に取り付けられる際には、キーシート７の突起部７６のそれぞれは、キー基板４上の複数の検出素子４１の１つと対向して配置される。ユーザによりボタン７１，７２，７３が押されると、キーシート７の突起部７６によりキー基板４の検出素子４１が押圧され、これによりボタンが押されたことが検出される。また、キーシート７は防水機能を有する。キーシート７の防水機能の構成の詳細については後述する。
【００２４】
キーシート７の外側から、キーシート７及びフロントケース下部５２の全体を覆うようにフロントカバー８が設置される。フロントカバー８は、フロントケース下部５２の側方にてフロントケース５と嵌合する。フロントカバー８の嵌合時には、図１に示すように、フロントケース上部５１及びフロントカバー８により、携帯電子機器１の正面側の外表面が形成される。
【００２５】
リアケース下部６２には、バッテリ９を筐体内部の基板２に接続し、筐体内に収用するためのバッテリ収納用の開口部６３が設けられている。バッテリ９は、基板２の制御部、表示部３などの各部品に電力を供給する部品である。
【００２６】
リアケース下部６２には、バッテリ９を配置した領域を覆うバッテリカバー１０が脱着可能な状態で装着される。バッテリカバー１０は、開口部６３に嵌合される。バッテリカバー１０の側面の全周にわたって防水パッキン１２が配置されており、この防水パッキン１２によって、バッテリカバー１０とリアケース下部６２及び開口部６３との連結部分が水密構造とされている。
【００２７】
バッテリカバー１０及びリアケース下部６２の全体を覆うようにリアカバー１１が設置される。リアカバー１１は、リアケース下部６２の側方にてリアケース６と嵌合する。リアカバー１１の嵌合時には、リアケース上部６１及びリアカバー１１により、携帯電子機器１の背面側の外表面が形成される。
【００２８】
次に、図５，６を参照して、キーシート７の構造について説明する。図５は、図２，３中のキーシートの正面図であり、図６は、図５に示すキーシートのＶＩ−ＶＩ断面図である。
【００２９】
図５に示すように、キーシート７は、ユーザが各種操作入力を行なうためのボタンとして、単一の方向／決定ボタン７１（第１ボタン）と、複数の操作ボタン７２（第２ボタン）と、複数の機能ボタン７３（第２ボタン）とを有する。方向／決定ボタン７１は、表示部３に表示されるメニューの選択及び決定や画面のスクロール等を容易に実行するためのボタンである。操作ボタン７２は、通話相手の電話番号やメール作成時等に文字を入力するためのボタンである。機能ボタン７３は、メール機能や電話帳機能、カメラ機能を起動するためのボタンである。
【００３０】
方向／決定ボタン７１は、キーシート７の上部中央に配置される。複数の操作ボタン７２は、方向／決定ボタン７１より下方の領域にて略均等の間隔で配置される。複数の機能ボタン７３は、方向／決定ボタン７１の左右側方の領域に配置される。方向／決定ボタン７１は、操作ボタン７２及び機能ボタン７３と比較してサイズが大きい。機能ボタン７３は、方向／決定ボタン７１の左右側方に配置されるため、方向／決定ボタン７１による空間的制約により、操作ボタン７２よりも筐体縁部（キーシート７の外縁側）に隣接して配置される。
【００３１】
キーシート７は、図６に示すように、基本的には、背面側から、突起部７６、ベースシート７４、補強材７５、ボタン（図６では機能ボタン７３を例示するが操作ボタン７２も同様である）の順番で配置される積層構造をとる。突起部７６とベースシート７４との間、及び補強材７５とボタンとの間は、例えば両面テープにより接着されている。キーシート７は、背面側の縁端に沿って配置される防水両面テープ７７によって、フロントケース下部５２に接着される。
【００３２】
ベースシート７４は、ウレタンを素材としてシート状に成形された部材であり、防水機能を備える。ベースシート７４は、図５に示すように、フロントケース下部５２の正面側の平面と同様の長方形状をとる。ベースシート７４は、少なくとも開口部５３より大きく、開口部５３全体を覆うことができる形状である。キーシート７をフロントケース下部５２の開口部５３を覆うように設置することで、ベースシート７４の防水機能により、キーシート７とフロントケース下部５２及び開口部５３との連結部分が水密構造となる。
【００３３】
補強材７５は、ＰＥＴを素材としてシート状に成形された部材である。補強材７５は、ベースシート７４と略同一の厚さ及び輪郭形状をとるが、上方の一辺の中央部にコの字状の切り欠き部７９が設けられている。この切り欠き部７９は、方向／決定ボタン７１が配置される領域を含む。すなわち、補強材７５は、方向／決定ボタン７１とベースシート７４との間には配置されない。方向／決定ボタン７１が配置される領域では、キーシート７は、背面側から、突起部７６、ベースシート７４、方向／決定ボタン７１の順番で配置される積層構造となる。
【００３４】
このようなベースシート７４及び補強材７５の構成により、方向／決定ボタン７１は、補強材７５を介さずに、ベースシート７４上に直接配置される。一方、操作ボタン７２及び機能ボタン７３は、補強材７５を介してベースシート７４上に配置される。
【００３５】
補強材７５の素材であるＰＥＴは、ベースシート７４の素材であるウレタンより硬い性質を備える。したがって、補強材７５は、ベースシート７４より硬い素材で成形される。言い換えると、ベースシート７４は、補強材７５より柔らかい素材で成形される。ベースシート７４及び補強材７５は、一体的に成形されるのが好ましい。
【００３６】
補強材７５には、機能ボタン７３の周囲にスリット７８が設けられている。スリット７８は、図５に示すように、機能ボタン７３の上辺、下辺、及び筐体縁部側（キーシート７の外縁側）の辺に沿って、これらの３辺の外側に形成されている。上辺及び下辺側のスリット７８は、方向／決定ボタン７１側の端部まで延在している。スリット７８の各辺の一部には切り込みが形成されておらず、これにより、スリット７８により区画された機能ボタン７３直下の領域と、その他の補強材７５の領域との連結状態が維持されている。
【００３７】
次に、本実施形態に係る携帯電子機器１の作用及び効果について説明する。
【００３８】
本実施形態の携帯電子機器１は、方向／決定ボタン７１と、操作ボタン７２及び機能ボタン７３と、シート状に成形され、防水機能を有するベースシート７４と、ベースシート７４より硬い素材で成形される補強材７５と、を備える。方向／決定ボタン７１は、操作ボタン７２及び機能ボタン７３より大きい。方向／決定ボタン７１は、補強材７５を介さずにベースシート７４上に直接配置される。一方、操作ボタン７２及び機能ボタン７３は、補強材７５を介してベースシート７４上に配置される。
【００３９】
この構成により、操作ボタン７２及び機能ボタン７３は、補強材７５を介して、ベースシート７４上に配置されるので、比較的柔らかい性質をもつベースシート７４によって、ボタンを押したときの撓みを好適に発生させることができ、ボタンの押し感を良好にすることができる。また、比較的硬い性質をもつ補強材７５によってベースシート７４を補強することで、ボタンを押したとき以外に生じるベースシート７４の撓みを抑制でき、ボタンが沈み込んで傾くことを抑制できる。
【００４０】
一方、方向／決定ボタン７１は、操作ボタン７２及び機能ボタン７３より大きいので、操作ボタン７２及び機能ボタン７３と比較して、ベースシート７４との接触面積が大きくなる。このため、方向／決定ボタン７１は、操作ボタン７２及び機能ボタン７３と比較して、ベースシート７４の撓みによりボタンが沈み込み傾く現象を生じにくい。そこで、方向／決定ボタン７１は、補強材７５を介さずに、比較的柔らかいベースシート７４上に直接配置される。これにより、方向／決定ボタン７１を押した際に、ベースシート７４の撓みを好適に発生させることができ、また、比較的硬い補強材７５による撓みへの影響を受けずに、ベースシート７４の撓みを増大できるので、方向／決定ボタン７１の押し感を向上できる。
【００４１】
このように、本実施形態の携帯電子機器１によれば、大きさの異なる方向／決定ボタン７１と、操作ボタン７２及び機能ボタン７３とで、ベースシート７４との間に補強材７５を介するか否かを切り分け、ボタンの種類に応じて最適なキーシートの特性を提供できる。また、ベースシート７４により防水機能を提供できる。この結果、本実施形態の携帯電子機器１は、防水を維持しながら、押し感を良好にすることができる。
【００４２】
また、本実施形態の携帯電子機器１において、補強材７５及びベースシート７４は一体成形されるので、キーシート７の組み立てが容易となり製造コストを低減できる。
【００４３】
また、本実施形態の携帯電子機器１において、補強材７５は、シート状に成形されるので、補強材７５をベースシート７４と各ボタン７１，７２，７３との間へ配置する工程が容易となり、製造コストを低減できる。
【００４４】
また、本実施形態の携帯電子機器１において、補強材７５には、筐体縁部に隣接して配置される機能ボタン７３の周囲にスリット７８が設けられる。機能ボタン７３は、方向／決定ボタン７１の左右側方に配置される空間的制約により、操作ボタン７２と比較して筐体縁部に対してより隣接して配置される。このため、機能ボタン７３は、ボタンの中心位置と側壁（キーシート７の外縁端）との距離が小さくなるので、操作ボタン７２と比較して補強材７５が撓みにくくなり、押し感が悪化する。そこで、補強材７５の機能ボタン７３の周囲にスリット７８を設けることで、機能ボタン７３直下の補強材７５を撓みやすくすることができ、機能ボタン７３の押し感を改善できる。
【００４５】
なお、第一実施形態では、補強材７５の全ての機能ボタン７３の周囲にスリット７８を設ける構成を例示したが、補強材７５が撓みにくい位置に配置されたボタンにスリットを設ければよい。例えば、操作ボタン７２の周囲にスリット７８を設ける構成としてもよいし、操作ボタン７２または機能ボタン７３の一部の周囲にスリット７８を設ける構成としてもよい。
【００４６】
［第二実施形態］
次に、図７，８を参照して第二実施形態を説明する。図７は、第二実施形態のキーシートの正面図であり、図８は、図７に示すキーシートのＶＩＩＩ−ＶＩＩＩ断面図である。
【００４７】
図７，８に示すように、第二実施形態は、キーシート７ａにおいて、補強材７５ａが、操作ボタン７２及び機能ボタン７３のそれぞれと、ベースシート７４との間に個別に配置される点で、第一実施形態と異なるものである。
【００４８】
補強材７５ａは、操作ボタン７２及び機能ボタン７３の各ボタンと、その周囲の一定幅の領域とを含むサイズで形成される。ベースシート７４及び補強材７５ａは、インサート成形で一体成形され、ウレタンとＰＥＴのハイブリッド構造である。
【００４９】
この構成により、操作ボタン７２及び機能ボタン７３は、各ボタン直下の比較的硬い補強材７５ａによって安定性を持ちつつ、各ボタンの周囲の比較的柔らかいベースシート７４によって、ボタンの良好な押し感を確保できる。
【００５０】
以上、本発明の実施形態を説明したが、上記実施形態は、例として提示したものであり、発明の範囲を限定することは意図していない。上記実施形態は、その他の様々な形態で実施されることが可能であり、発明の要旨を逸脱しない範囲で、種々の省略、置き換え、変更を行うことができる。上記実施形態やその変形は、発明の範囲や要旨に含まれると同様に、特許請求の範囲に記載された発明とその均等の範囲に含まれるものである。
【００５１】
上記実施形態では、防水機能を有し、ベースシート７４の素材としてウレタンを例示し、補強材７５，７５ａの素材としてＰＥＴを例示したが、ベースシート７４に補強材７５，７５ａより柔らかい性質をもたせ、補強材７５，７５ａにベースシート７４より硬い性質をもたせることができれば、他の素材を適用してもよい。例えばベースシート７４の代わりに柔らかい素材としてシリコンなどを適用することができる。また、補強材７５，７５ａの代わりに硬い素材としてポリカーボネートなどを適用することができる。
【００５２】
また、上記実施形態では、携帯電子機器１の一例としてＰＨＳを取り上げて説明したが、本発明に係る携帯電子機器はＰＨＳに限定されるものではなく、例えば、携帯電話機、ＰＤＡ（Ｐｅｒｓｏｎａｌ  Ｄｉｇｉｔａｌ  Ａｃｃｉｓｔａｎｔ）、ポータブルナビゲーション装置、ノーパソコン、ゲーム機等の他のタイプの携帯電子機器にも同様に適用することができる。
【符号の説明】
【００５３】
１  ＰＨＳ（携帯電子機器）
７，７ａ  キーシート
７１  方向／決定ボタン（第１ボタン）
７２  操作ボタン（第２ボタン）
７３  機能ボタン（第２ボタン）
７４  ベースシート
７５，７５ａ  補強材
７８  スリット
【図１】
2014086358.tif 000003
【図２】
2014086358.tif 000004
【図３】
2014086358.tif 000005
【図４】
2014086358.tif 000006
【図５】
2014086358.tif 000007
【図６】
2014086358.tif 000008
【図７】
2014086358.tif 000009
【図８】
2014086358.tif 000010